(57)【要約】【課題】拡散カバーに暗部がなく、より明るい照明装置を提供する。【解決手段】本体と、該本体に取り付けられる半導体発光素子からなる光源と、前記本体に着脱可能でありかつ前記光源から放射された光を拡散する拡散カバーと、を有し、前記拡散カバーの外観形状が床面側から見て四角形である照明装置において、赤外線リモコン信号受信部や照度センサ等を有するサブユニットを有し、前記拡散カバーと、前記サブユニットと、を別体で構成し、前記サブユニットは、前記拡散カバーの外周の一辺に沿って該拡散カバーの外側に位置するよう前記本体に配設した。【選択図】  図１
2013239359.tif 000002
【特許請求の範囲】
【請求項１】
本体と、該本体に取り付けられる半導体発光素子からなる光源と、前記本体に着脱可能でありかつ前記光源から放射された光を拡散する拡散カバーと、を有し、前記拡散カバーの外観形状が床面側から見て四角形である照明装置において、
赤外線リモコン信号受信部や照度センサ等を有するサブユニットを有し、
前記拡散カバーと、前記サブユニットと、を別体で構成し、
前記サブユニットは、前記拡散カバーの外周の一辺に沿って該拡散カバーの外側に位置するよう前記本体に配設したことを特徴とする照明装置。
【請求項２】
請求項１に記載の照明装置において、
前記本体は前記拡散カバーを固定するための拡散カバー取付具を備え、
前記サブユニットが配設された前記本体の一辺に直交する前記本体の二辺に、前記拡散カバー取付具を配設したことを特徴とする照明装置。
【請求項３】
請求項１に記載の照明装置において、
前記拡散カバーの外観形状が床面側から見て正方形であり、
前記本体は、前記拡散カバーを係合固定するための拡散カバー取付具を備え、
前記拡散カバーは、前記拡散カバー取付具と係合する係合部を有し、
前記係合部は、前記拡散カバーの四辺に配設されたことを特徴とする照明装置。
【発明の詳細な説明】
【技術分野】
【０００１】
本発明は、半導体発光素子を光源とし、光源から放射された光を拡散する拡散カバーの外観形状が床面側から見て四角形である照明装置に関する。
【背景技術】
【０００２】
従来の照明装置には、四角形の導光板の端部に半導体発光素子を配置し、導光板内に広がった光を導光板に重ねて配置した拡散板で拡散させて、四角形の面全体が発光するように構成したものがある。
【０００３】
例えば特許文献１（特開２０１２−０５９４７４号公報）には、前記の構成に加えて、少なくとも赤外線リモコン信号受信部を含む補助部品ユニットを本体枠の一辺側に配設した構造が提案されている。
【先行技術文献】
【特許文献】
【０００４】
【特許文献１】特開２０１２−０５９４７４号公報
【発明の概要】
【発明が解決しようとする課題】
【０００５】
特許文献１に記載の構造においては、四角形の導光板の端部に、照明装置の内側に向かって光を放射するように半導体発光素子を配置しているために、暗部となる半導体発光素子の配設部を本体枠で覆っており、かつ、本体枠の一辺側に少なくとも赤外線リモコン信号受信部を有する補助部品ユニットを配置している。そのため、床面側から照明装置を見ると、補助部品ユニットを配置した本体枠部分が暗部となってしまう恐れがあった。
【０００６】
半導体発光素子を光源とし、光源から放射された光を拡散する拡散カバーの外観形状が四角形である照明装置において、床面側から照明装置を見た場合に、赤外線リモコン信号受信部や照度センサ等を有するユニット（以下、サブユニットと称する）を配置した非透光性部分が拡散カバーの暗部となってしまうことがない照明装置が求められている。
【０００７】
本発明の目的は、拡散カバーに暗部がなく、より明るい照明装置を提供することである。
【課題を解決するための手段】
【０００８】
上記目的を達成するために本発明の特徴とするところは、半導体発光素子を光源とし、前記光源から放射された光を拡散する拡散カバーの外観形状が床面側から見て四角形である照明装置において、前記拡散カバーと、赤外線リモコン信号受信部や照度センサを有するサブユニットと、を別体で構成し、前記拡散カバーが単独で着脱できるようにするとともに、前記サブユニットを前記拡散カバーの外周の一辺に沿って該拡散カバーの外側に配設したことにある。
【０００９】
また、本発明の特徴とするところは、前記サブユニットが配設された本体の一辺側に直交する二辺に、前記拡散カバーの固定手段を配設したことにある。
【００１０】
また、本発明の特徴とするところは、前記光源から放射された光を拡散する拡散カバーの外観形状が床面側から見て正方形であって、かつ、前記拡散カバーを係合固定するために照明装置の本体側に設けられた部材が係合する前記拡散カバー側の係合部を、前記拡散カバーの四辺に配設したことにある。
【発明の効果】
【００１１】
本発明によれば、光源部から放射された光を拡散する拡散カバーと、赤外線リモコン信号受信部や照度センサを有するサブユニットと、を別体で構成するとともに、前記サブユニットは前記拡散カバーの一辺に沿って該拡散カバーの外側に配設され、かつ、前記拡散カバーが単独で着脱できる構成とすることで、床面側から該照明装置を見た場合に、サブユニットを配置した非透光性部分が拡散カバーの暗部となってしまうことがない照明装置を実現することができる。
【００１２】
また、本発明によれば、前記サブユニットが配設された本体の一辺側に直交する二辺に前記拡散カバーの固定手段を配設したことで、前記サブユニットが前記拡散カバーの着脱操作の妨げとなることがなく、使い勝手の良い照明装置を実現することができる。
【００１３】
さらに、本発明によれば、前記光源から放射された光を拡散する拡散カバーの外観形状が床面側から見て正方形であって、かつ、前記拡散カバーを係合固定するために照明装置の本体側に設けられた部材が係合する前記拡散カバー側の係合部を、前記拡散カバーの四辺に配設したことで、向きに関わらず前記拡散カバーを本体に取り付けできるようになるため、使い勝手をより向上させることができる。
【図面の簡単な説明】
【００１４】
【図１】本発明の実施例に係る照明装置の外観斜視図である。
【図２】同上に係る照明装置の拡散カバーを外した状態の図である。
【図３】同上に係る照明装置の拡散カバーを外して床面側から見た図である。
【図４】同上に係る照明装置を天井面側から見た図である。
【図５】図４に示す、Ａ−Ａ断面図である。
【図６】図３に示す、Ｂ−Ｂ断面図である。
【図７】本発明の実施例に係る照明装置の分解斜視図である。
【発明を実施するための形態】
【００１５】
本発明は、下記の構成を特徴とするものである。本体と、該本体に取り付けられる半導体発光素子からなる光源と、前記本体に着脱可能でありかつ前記光源から放射された光を拡散する拡散カバーと、を有し、前記拡散カバーの外観形状が床面側から見て四角形である照明装置において、赤外線リモコン信号受信部や照度センサ等を有するサブユニットを有し、前記拡散カバーと、前記サブユニットと、を別体で構成し、前記サブユニットは、前記拡散カバーの外周の一辺に沿って該拡散カバーの外側に位置するよう前記本体に配設したことを特徴とする。
【００１６】
上記構成に加え、前記本体は前記拡散カバーを固定するための拡散カバー取付具を備え、前記サブユニットが配設された前記本体の一辺に直交する前記本体の二辺に、前記拡散カバー取付具を配設したことを特徴とする。
【００１７】
また、上記構成に加え、前記拡散カバーの外観形状が床面側から見て正方形であり、前記本体は、前記拡散カバーを係合固定するための拡散カバー取付具を備え、前記拡散カバーは、前記拡散カバー取付具と係合する係合部を有し、前記係合部は、前記拡散カバーの四辺に配設されたことを特徴とする。
【００１８】
以下、本発明の実施例に係る照明装置の構成を添付の図１〜図７を用いて説明する。本照明装置は建築物、主に一般家庭の居室の天井面に設置され、建築物に付帯する引掛ローゼットや引掛シーリングなどの屋内配線器具に係合する取付アダプタを介することで外部電源と接続されるとともに所定の位置に固定されて使用されるものである。図１は、図示しない天井面に設置された照明装置１００を床面側から見た外観斜視図である。拡散カバー２は、透明または半透明または乳白色の透光性を有する、例えばアクリルやポリスチレンなどの樹脂材料で作られた部品である。拡散カバー２を備えることで、照明器具１００の内部構造に手が触れることを防ぐといった効果を奏する。拡散カバー２を半透明または乳白色にすることで、主に光源部１０（後述）から放射された光を拡散させる、使用者が照明装置１００を直視したときの眩しさを軽減する、照明装置１００が設置された部屋の中の明るさを均一化する、といった効果を奏する。また、拡散カバー２を透明とした場合は、半透明または乳白色としたものに比べ直下照度が向上するという効果を奏する。
【００１９】
図２に拡散カバー２を外した状態の斜視図、図７に照明装置１００の分解斜視図を示す。
【００２０】
拡散カバー２およびアダプタカバー１０１を外すと、例えば金属板などで成形された本体１の中央に設けられた器具取付部１０２が見える。器具取付部１０２に前述の取付アダプタが有する爪状の引掛け部が係合することで、例えば居室の天井面の所定の位置に固定されるようになっている。また、器具取付部１０２の近傍には、図示しない給電コネクタが配設されており、この給電コネクタと前述の取付アダプタに配設されたコネクタとを嵌合接続することにより、建築物の屋内配線からの給電ができるようになっている。
【００２１】
光源部１０は、半導体発光素子が半田付けされた半導体発光素子実装基板および、複数の前記基板どうしを電気的に接続するコネクタ類を一体的に覆うとともに、それらを本体１に圧接固定している透光性の基板カバーから構成されている。前記基板カバーは、前記半導体発光素子実装基板に使用者が直接触れないようにして感電を防止するとともに、前記半導体発光素子を保護する機能を持っている。本実施例においては、ドーム形状を多数配設したものとなっているが、平板形状等でも同様の機能を持たせることが可能である。
【００２２】
半導体発光素子は作動時に光を放射すると共に発熱してそれ自体の温度が上昇するが、温度が高くなるにしたがって発光効率が低下するため、温度上昇に見合った適切な放熱手段を設ける必要がある。そのため半導体発光素子実装基板は、絶縁層を有したアルミ板や熱伝導性の高い樹脂板上に銅箔パターン及びソルダーレジストを形成したものが使われ、半導体発光素子が発する熱を半導体発光素子実装基板の表面から直に放熱させたり、金属板などで成形された本体１に半導体発光素子実装基板を密着させることで熱伝導による放熱性を確保している。
【００２３】
拡散カバー２は、光源部１０および、拡散カバー取付具７を覆う。拡散カバー２は、本体１の対向する二辺に取り付けられた拡散カバー取付具７によって係合保持されている。
拡散カバー取付具７は、着脱ボタン５、アーム６、係合つめ４から構成されている。アーム６は棒状または板状の部材であり、アーム６の両端部には係合つめ４が設けられており、アーム６の略中央部には着脱ボタン５が設けられている。着脱ボタン５を押すと拡散カバー取付具７全体が移動して係合部９から係合つめ４が外れる構造となっている。ここで、着脱ボタン５の動作を係合つめ４に伝える部材をアーム６としたが、着脱ボタン５の動作により係合つめ４が動作すればどのような部材でもよい。拡散カバー取付具７は、係合つめカバー１１およびボタンカバー１２によって、本体１に取り付けられている。また、拡散カバー取付具７は、サブユニット３が配設されている本体１の一辺側に直交する二辺に配設されており、かつ、図示しない例えばコイルばねのような付勢手段によって、本体１の外側に向かって付勢されている。図３における係合つめ４および、係合つめカバー１１部の断面図を図６に示す。なお、図３は拡散カバー２を外した状態で床面側から見た図であるが、Ｂ−Ｂ断面図である図６は、係合つめ４と拡散カバー２および係合部９との位置関係の理解のために、拡散カバー２を取り付けた状態の断面図になっている。係合つめ４は拡散カバー２に設けた係合部９に係合して拡散カバー２を保持しており、前記付勢手段の付勢力に抗して着脱ボタン５を押し込むことで、着脱ボタン５、アーム６および、係合つめ４とで構成された拡散カバー取付具７が、図６の矢印方向に移動して係合部９から係合つめ４が外れ、拡散カバー２を取り外すことができる。
【００２４】
サブユニット３には、図５に示すように、赤外線リモコン信号受信部や保安灯、照度センサ等を実装したサブユニット基板８を配設しているが、前記赤外線リモコン信号受信部や照度センサが光源部１０から放射される光の影響を受けないように、サブユニット３の外郭部品は非透光性の材料で構成している。サブユニット３からは、本体１の内部に配設した図示しない点灯回路基板に電気的に接続される図示しないハーネスが出ており、サブユニット３は、本体１に例えばねじ止め等で固定されている。このため、照明装置１００に要求される仕様によって、サブユニット基板８の回路構成を変えたり、サブユニット３で提供する機能が不要という場合にはサブユニット３を実装しない、といった対応が容易になり、生産性を向上させることができる。
【００２５】
サブユニット３は拡散カバー２とは別体で構成しており、かつ、拡散カバー２の外周の一辺に沿って拡散カバー２の外側に張り出すように配設している。そのため、床面側から照明装置１００を見た場合に、拡散カバー２とサブユニット３とは重なり合わない位置関係になっており、拡散カバー２の一部が暗部となってしまうことがなく、床面をより明るくすることができる。また、拡散カバー２の重量を抑えることができ、拡散カバー２の着脱操作性を向上させることができる。
【００２６】
また、本体１に取り付けられた拡散カバー取付具７は、サブユニット３が配設された本体１の一辺側に直交する二辺に配設することで、拡散カバー２の着脱時にサブユニット３が着脱ボタン５の操作の妨げとなることがなく、使い勝手の良い照明装置を実現することができる。
【００２７】
さらに本実施例においては、床面側から照明装置１００を見たときの拡散カバー２の外観形状を長方形としているが、正方形の場合でも同様の効果を得ることができる。本体１に配設される拡散カバー取付具７は、長方形の場合と同様、サブユニット３が配設されている本体の一辺側に直交する二辺に配設されるが、図６に示す係合部９を拡散カバー２の四辺すべてに配設することで、向きに関わらず拡散カバー２を本体１に取り付けできるようになるため、使い勝手をより向上させることができる。
【００２８】
以上説明したように、光源部から放射された光を拡散する拡散カバーと赤外線リモコン信号受信部や照度センサを有するサブユニットを別体で構成して、前記拡散カバーが単独で着脱できるようにするとともに、前記サブユニットは前記拡散カバーの外周の一辺に沿って拡散カバーの外側に張り出すように配設されるため、床面側から該照明装置を見た場合に、サブユニットを配置した非透光性部分が拡散カバーの暗部となってしまうことがなく、より明るい照明装置を実現することができる。
【００２９】
また、本実施例によれば、前記サブユニットが配設された本体の一辺側に直交する二辺に前記拡散カバーの固定手段を配設したことで、前記サブユニットが前記拡散カバーの着脱操作の妨げとなることがなく、使い勝手の良い照明装置を実現することができる。
【００３０】
本実施例では、本体１は長方形であり、サブユニット３の取り付け位置は本体１の短辺側に設けているが、これに限るものではない。サブユニット３の取り付け位置を本体１の長辺側とした場合は、拡散カバー取付具７を短辺側に設けることになるが、辺の両端に設けた係合つめをアームでつなぐ構造とはせずに、例えば着脱ボタンと係合つめを一体化して、辺の中央部１箇所で拡散カバー２を固定する構造とすることが可能である。
【００３１】
また、前記拡散カバー２の外観形状を床面側から見て正方形としてもよい。その場合、前記本体１は、前記拡散カバーを係合固定するための拡散カバー取付具７を備え、前記拡散カバーは、前記拡散カバー取付具７と係合する係合部を有し、前記係合部を、前記拡散カバーの四辺に配設することで、拡散カバーの取り付け位置を任意とすることが可能となる。
【符号の説明】
【００３２】
１  本体
２  拡散カバー
３  サブユニット
４  係合つめ
５  着脱ボタン
６  アーム
７  拡散カバー取付具
８  サブユニット基板
９  係合部
１０  光源部
１１  係合つめカバー
１２  ボタンカバー
１００  照明装置
１０１  アダプタカバー
１０２  器具取付部
【図１】
2013239359.tif 000003
【図２】
2013239359.tif 000004
【図３】
2013239359.tif 000005
【図４】
2013239359.tif 000006
【図５】
2013239359.tif 000007
【図６】
2013239359.tif 000008
【図７】
2013239359.tif 000009